(57)【特許請求の範囲】
【請求項１】
列車あるいは車両，船舶および搭載される貨物コンテナ等の移動体に組み合わせて使用され、円筒形状のケースを圧縮機容器とする横形圧縮機において、
平板の両端を略並行に折り曲げて制作される略コの字形状の断面を有し、開口側に前記ケースの円筒面に沿うように円弧状の切欠部が形成された支持部材を備え、
前記開口側に形成された前記支持部材の前記切欠部を前記圧縮機容器の円筒面と固定することで、支持構造とし、
前記ケースが傾斜するように高さが異なる複数の前記支持部材を配置したことを特徴とする横形圧縮機および圧縮機組み込み製品。
【発明の詳細な説明】
【技術分野】
【０００１】
本発明は、冷凍空調機器、特に貨物コンテナや車両等に搭載される冷凍空調機器に用いられるのに好適な横形圧縮機に関するものである。
【背景技術】
【０００２】
図３に一般に冷凍空調機器に組み込まれる横形圧縮機の例を示す。前記冷凍空調機器に取り付ける場合には、圧縮機運転中の微小振動を吸収することを主目的とした比較的剛性の低い防振ゴムを介して、板金や鍛造などにより成型された取付け脚で固定される。例えば、特許文献１に示されるように、略円筒形状の容器内に、圧縮機構部と電動機部とを内蔵し、容器の下部には板金製の取付け脚を設けている。
【０００３】
ここで、板金の取付け脚は、薄板を用いつつ強度を上げられるチャンネル材に類似した形状としているものがあり、中央には圧縮機容器への取付け部を設けて溶接で取り付ける手段を備えている一方で、その両サイド部については、折り返しによりリブを形成して強度アップを図っている。圧縮機のケースに接する略円筒面に電極となる凸形状を設けて、圧縮機容器に抵抗溶接、あるいは直接溶接する方法で制作することから、抵抗溶接における電極での押しつけ、あるいは、電気溶接の作業性からも、圧縮機下方に向かって、解放された形状の脚を取り付けている。
【先行技術文献】
【特許文献】
【０００４】
【特許文献１】特開平１０−３７８７２号公報
【発明の概要】
【発明が解決しようとする課題】
【０００５】
移動する冷凍空調機器においては、固定据え付けの機器よりも使用環境が厳しくなることが一般的であり、求められる要件は以下の通りである。
（１）圧縮機組み込み高さを抑制すること。
（２）移動の振動・衝撃に耐えうる強度を持つこと。
【０００６】
移動用冷凍機器では、その商品特性上、スペースの制約も多く特に車両等では高さの制限内で、十分な強度を確保することが必要となる。さらに固定設置とは異なり、使用時の振動加速が大きくなるため、防振部材は実用上荷重に対する変形量の小さいものを選択することになり、より硬度が高いか、高さを短くしたもの、あるいは両方を組み合わせたものとなる。図３のような従来取付け脚構造で、移動用機器への対応を図る場合、図４に示すような構造を採用した場合には、取付け脚のリブを高くすることで剛性アップを図る方法が考えられる。しかしながら、図６に示すように、取付け脚は、下方の開口部１２０ｄ側が固定されていないことから、圧縮機に上下方向への荷重を受けた場合に、開口部が外側（あるいは内側に）に開くようにして変形しやすいことが分かった。さらに、リブ高さを増加させたとしても、リブ部分の剛性を梁としてみた場合、図４に示す変更は梁の高さを増加させ強度アップが図れるように見えるが、実際には図６に示すように一定の幅を以って折り曲げた略並行の部分が、広げられるあるいは縮められるような変形を生じ、剛性アップの効果が薄いことが分かる。さらに防振部材の高さを増加させないと冷凍機器への取り付けが困難になることからもコスト増を招いていた。
【課題を解決するための手段】
【０００７】
上記課題を解決するために、本願発明の横形圧縮機および圧縮機組み込み製品は、列車あるいは車両，船舶および搭載される貨物コンテナ等の移動体に組み合わせて使用され、円筒形状のケースを圧縮機容器とする横形圧縮機において、平板の両端を略並行に折り曲げて制作される略コの字形状の断面を有し、開口側に前記ケースの円筒面に沿うように円弧状の切欠部が形成された支持部材を備え、前記開口側に形成された前記支持部材の前記切欠部を前記圧縮機容器の円筒面と固定することで支持構造とし、前記ケースが傾斜するように高さが異なる複数の前記支持部材を配置した。
【発明の効果】
【０００８】
以上の構成から、上記課題（１）（２）については、防振部材の高さに影響を受けることなく、取付け脚のリブ高さを必要十分に確保することが容易となる。また、取付け脚の開口部分を溶接にて固定することから、より強度を増すことができる。
【０００９】
さらに、圧縮機の取付け高さを増加させることなく、リブ高さを増加させることにより、圧縮機と取付け脚との溶接範囲を従来に比べ広く取ることが可能となる効果もあり、圧縮機の容器そのものを強度部材として使用できることからも強度が高い構造とすることができる。図５に示すように、従来の取付け脚に比べて、より広い範囲（接触角度）での固定が可能となることでの強度アップが図りやすいというメリットがある。
【００１０】
加えて傾斜設置用の脚を板金にて制作する場合、単純な折り曲げにより加工することができるため、精度よく安価に取付け脚の制作が可能となり、必要に応じて傾斜を持たせた設置用の脚も容易に設計・生産ができる
【図面の簡単な説明】
【００１１】
【図１】本発明による取付け脚の例１。
【図２】本発明による取付け脚の例２。
【図３】従来の取付け脚の構造の例。
【図４】従来の取付け脚の構造の例。
【図５】本発明による取付け脚の強度的な効果を示す図。
【図６】従来の取付け脚構造での変形の例。
【図７】本発明による取付け脚構造での変形の例。
【発明を実施するための形態】
【００１２】
以下、実施例を図１乃至図２を用いて説明する。
【００１３】
図１にて、実施の例を説明する。説明の便宜上、図１では取付け脚を１つだけ図示するが通常２つ以上の脚を設けることが一般的である。
【００１４】
圧縮機の取付け脚は、板金加工に適した圧延鋼板などを用い、長方形の部材の両端を折り曲げチャンネル材と同様な断面形状を持つ脚を使用する。ただし、折り曲げる前に、圧縮機の略円筒形状のケースと組み合わせるため、円弧状の切欠部を設けたり、両端部に面取り、必要に応じて折り曲げによる加工を行い凹部を設ける。
【００１５】
さらに、前記円弧の範囲で取付け脚と圧縮機の容器の複数か所を溶接で固定する方法で、取付け脚の開口部分を容器に固定するものとする。
【００１６】
溶接点のピッチは圧縮容器の円筒面との関係で、器，溶接点，平板から折り曲げで立ち上げた脚側面部において、正三角形を形成することで高い強度が得られる。そのため、固定個所の６０°あるいは１２０°と正三角形あるいはその一部を形成することが理想的であるが、４０°以上１４０°以下の範囲でも、実用上相応の効果を得ることができる。
【００１７】
また、図示しないが圧縮機容器と固定するための取付け脚凹部の高さを変化させることによって、取付け脚接触部の高さを変え圧縮機を水平に対して、角度を以って据え付けても良い。
【符号の説明】
【００１８】
１００  圧縮機
１００ａ  ケース
１１０  圧縮機構部
１２０  取付け脚
１２０ａ  ケース取付け部
１２０ｂ  強度部材
２００  防振部材
【図１】
0005463251.tif 000002
【図２】
0005463251.tif 000003
【図３】
0005463251.tif 000004
【図４】
0005463251.tif 000005
【図５】
0005463251.tif 000006
【図６】
0005463251.tif 000007
【図７】
0005463251.tif 000008